(57)【要約】【課題】法的な要請に十分に応える車両制御装置およびその方法を提供する。【解決手段】活性化された表示器をもつ優先車両の位置を検出し、対象車両を減速させる車両制御システムおよび方法が提供される。活性化された表示器をもつ優先車両の一例は、活性化された緊急表示灯をもつ緊急車両である。活性化された表示器をもつ優先車両の一例は、活性化された停車表示灯をもつスクールバスである。活性化された表示器をもつ優先車両の一例は、活性化された停車表示サインをもつスクールバスである。活性化された表示器をもつ優先車両の一例は、活性化された警報灯をもつ二次車両である。【選択図】図１
2020187795.tif 000002
【特許請求の範囲】
【請求項１】
活性化された表示器をもつ優先車両の位置を検出するように構成された検出モジュール（３０）と、
前記検出モジュールによって、活性化された表示器をもつ前記優先車両が検出され、かつ、検出された前記優先車両と対象車両とが互いに接近しつつあることに応答して前記対象車両を減速させる車両制御モジュール（６０）とを備える車両制御システム。
【請求項２】
前記対象車両が、前記検出モジュール、および前記車両制御モジュールを備える請求項１に記載の車両制御システム。
【請求項３】
さらに、カメラモジュール（４０）を備え、前記カメラモジュールから画像データを受け取るために前記検出モジュールは前記カメラモジュールと情報通信可能であり、前記検出モジュールは前記画像データに基づいて前記優先車両を検出するように構成されている請求項１または請求項２に記載の車両制御システム。
【請求項４】
さらに、前記画像データを取得し、前記カメラモジュールに前記画像データを入力する複数のカメラを備える請求項３に記載の車両制御システム。
【請求項５】
さらに、前記優先車両から経路データを取得する情報通信モジュールを備え、
前記検出モジュールは、前記経路データに基づいて、前記対象車両に対する前記優先車両の位置を検出するように構成されている請求項１から請求項４のいずれかに記載の車両制御システム。
【請求項６】
前記車両制御モジュールは、前記対象車両を減速させるために前記対象車両のブレーキを活性化するように構成されている請求項１から請求項４のいずれかに記載の車両制御システム。
【請求項７】
前記車両制御モジュールは、前記対象車両を完全な停車まで減速させるために前記対象車両のブレーキを活性化するように構成されている請求項６に記載の車両制御システム。
【請求項８】
前記車両制御モジュールは、活性化された表示器をもつ前記優先車両と前記対象車両とが互いに近づいていることを前記検出モジュールが検出した場合に、前記優先車両から遠ざけるように前記対象車両を移動させるように構成されている請求項１から請求項７のいずれかに記載の車両制御システム。
【請求項９】
前記車両制御モジュールは、前記優先車両から遠ざけるように前記対象車両を移動させるために、前記対象車両のステアリングシステムおよびブレーキシステムの少なくともいずれかを操作するように構成されている請求項８に記載の車両制御システム。
【請求項１０】
前記車両制御モジュールは、前記優先車両から遠ざけるように、前記対象車両が走向中である車線の路肩または横へ前記対象車両を移動させるために、前記対象車両のステアリングシステムおよびブレーキシステムの少なくともいずれかを操作するように構成されている請求項８または請求項９に記載の車両制御システム。
【請求項１１】
活性化された前記表示器をもつ前記優先車両は、活性化された緊急表示灯をもつ緊急車両、活性化された停車表示灯をもつスクールバス、活性化された停車表示サインをもつスクールバス、および、活性化された警報灯をもつ二次車両の少なくともいずれかを含む請求項１から請求項１０のいずれかに記載の車両制御システム。
【請求項１２】
対象車両の検出モジュールによって、活性化された緊急表示灯をもつ緊急車両と、対象車両に対する前記緊急車両の位置とを検出すること、および、
前記検出モジュールによって、活性化された緊急表示灯をもつ前記緊急車両と前記対象車両とが互いに接近しつつあることが検出された場合、車両制御モジュールによって、前記対象車両にブレーキをかけることを備える車両制御方法。
【請求項１３】
さらに、カメラモジュールから前記検出モジュールに入力されたカメラデータに基づいて前記緊急車両を検出することを備える請求項１２に記載の車両制御方法。
【請求項１４】
さらに、前記緊急車両によって送信され、前記対象車両の通信モジュールから前記検出モジュールに受信された経路データに基づいて、前記対象車両に対する前記緊急車両の位置を検出することを備える請求項１２または請求項１３に記載の車両制御方法。
【請求項１５】
さらに、活性化された緊急表示灯をもつ前記緊急車両と前記対象車両とが互いに近づいていることを前記検出モジュールが検出した場合に、前記対象車両の走向車線の路肩または横へ前記対象車両を移動させるために、前記対象車両を操舵することを備える請求項１２から請求項１４のいずれかに記載の車両制御方法。
【請求項１６】
さらに、活性化された緊急表示灯をもつ前記緊急車両と前記対象車両とが互いに近づいていることを前記検出モジュールが検出した場合に、前記対象車両を完全な停車に到達させるためにブレーキをかけることを備える請求項１２から請求項１５のいずれかに記載の車両制御方法。
【請求項１７】
対象車両の検出モジュールによって、活性化された停車表示灯、または、活性化された停車表示サインをもつスクールバスと、対象車両に対する前記スクールバスの位置とを検出すること、および、
前記検出モジュールによって、活性化された停車表示灯、または、活性化された停車表示サインをもつ前記スクールバスと前記対象車両とが互いに接近しつつあることが検出された場合、車両制御モジュールによって、前記対象車両を完全な停車に到達させるためにブレーキをかけることを備える車両制御方法。
【請求項１８】
さらに、カメラモジュールから前記検出モジュールに入力されたカメラデータに基づいて、活性化された停車表示サインをもつ前記スクールバスを検出すること、および、前記停車表示サインの検出に応答して、前記車両制御モジュールによって、前記対象車両にブレーキをかけることを備える請求項１７に記載の車両制御方法。
【請求項１９】
さらに、前記スクールバスによって送信され、前記対象車両の通信モジュールから前記検出モジュールに受信された経路データに基づいて、前記対象車両に対する前記スクールバスの位置を検出することを備える請求項１７または請求項１８に記載の車両制御方法。
【請求項２０】
対象車両の検出モジュールによって、活性化された警報灯をもつ二次車両と、対象車両に対する前記二次車両の位置とを検出すること、および、
前記検出モジュールによって、活性化された警報灯をもつ前記二次車両と前記対象車両とが互いに接近しつつあることが検出された場合、車両制御モジュールによって、前記対象車両にブレーキをかけることを備える車両制御方法。
【発明の詳細な説明】
【技術分野】
【０００１】
この開示は、緊急車両とスクールバスとを含む優先されるべき優先車両のために対象車両の減速または停車を支援する車両制御システムおよび車両制御方法に関する。
【背景技術】
【０００２】
この項は、発明に関連する背景技術を開示するが、それは公知の従来技術として開示されるものではない。
【０００３】
運転者が障害を識別することと、衝突を回避することとを支援するシステムは、広く普及しつつある。現状のシステムは、それらの意図される使用にふさわしい効果を発揮しているが、それらには依然として改良が求められている。特許文献１−特許文献６参照。
【先行技術文献】
【特許文献】
【０００４】
【特許文献１】米国特許第３６３８１７９号明細書
【特許文献２】米国特許第６０５６３７４号明細書
【特許文献３】米国特許第６２５２５１９号明細書
【特許文献４】米国特許第８５８９０１４号明細書
【特許文献５】米国特許第９０５３６３７号明細書
【特許文献６】米国特許第９２４９７４２号明細書
【発明の概要】
【発明が解決しようとする課題】
【０００５】
例えば、現状のシステムは、緊急車両（例えば、救急車、警察用車両および消防用車両）に対して車両を停車し、道を譲る、あるいは、学生、生徒、または児童を乗せたり降ろしたりするスクールバスのために停車するといった法的必要条件に十分に応えていない。
【０００６】
この開示は、上記の問題点に鑑み、その解決を図る車両制御システムおよび車両制御方法を提供することを目的とする。
【０００７】
この項は、開示の概略を与えるが、その全範囲またはその全特徴の包括的な開示ではない。法律は、道路の利用に関して優先度が高い優先車両と、この優先車両より優先度が低い一般車両とを規定する。法律は、一般車両の利用者に対して、優先車両がその優先業務を遂行中には、優先車両に対して道路の利用を譲ることを推奨、または義務付けている場合がある。優先車両の利用者は、優先業務を遂行中であることを、表示灯を活性化することにより、周囲の道路の利用者に対して知らせる必要がある。
【課題を解決するための手段】
【０００８】
この開示は、活性化された表示灯をもつ優先車両の検知に応答して、一般車両の利用者が適切な処置をとることを支援する車両制御システムおよび車両制御方法を提供する。望ましい処置は、優先車両に道路の利用を譲ること、例えば、対象車両の速度を遅くすることで追い越しを容易にすることによって提供できる。また、望ましい処置は、優先車両を避けること、例えば、優先車両から遠ざかることによって提供できる。また、望ましい処置は、優先車両の利用者を安心させること、例えば、対象車両の速度を遅くすることによって提供できる。
【０００９】
この開示は、活性化された緊急表示灯を備えた緊急車両の検知、または活性化された停車表示灯または停車表示サインを備えたスクールバスの検知に応じて、対象車両の速度を遅くするための車両制御システムおよび車両制御方法を提供する。この発明を適用可能な分野はここでの開示によって明らかにされる。この発明の概要における説明と具体的な例示とは、具体的な説明を与える用途だけを意図したものであって、本発明の技術的範囲を限定することを意図したものではない。
【００１０】
この明細書における開示された複数の態様は、それぞれの目的を達成するために、互いに異なる技術的手段を採用する。請求の範囲およびこの項に記載した括弧内の符号は、後述する実施形態の部分との対応関係を例示的に示すものであって、技術的範囲を限定することを意図するものではない。この明細書に開示される目的、特徴、および効果は、後続の詳細な説明、および添付の図面を参照することによってより明確になる。
【００１１】
ここに説明された図面は、選択された実施形態を図示するためだけのものであって、すべての実用的な可能性を示すものではない。そして、ここに説明された図面は、発明の範囲を限定することを意図するものではない。複数の図面の図示にわたって、対応する参照符号は、対応する部分を指している。
【図面の簡単な説明】
【００１２】
【図１】図１は、例示的な対象車両に搭載されたこの開示に係る車両用安全システムを示すブロック図である。
【図２Ａ】図２Ａは、緊急車両またはスクールバスに代表される優先車両を検知することによって、対象車両の速度を低下させるためのこの開示に係る方法を示すフローチャートである。
【図２Ｂ】図２Ｂは、図２Ａの続きを示すフローチャートである。
【図３Ａ】図３Ａは、この開示に係る、対象車両による緊急車両の検出の状態を示す配置図である。
【図３Ｂ】図３Ｂは、この開示に係る、優先車両の検出に応答して対象車両の速度を低下させた状態を示す配置図である。
【図４】図４は、この開示に係る、車車間通信を用いた、優先車両の検出と、優先車両が意図したルートとを示す配置図である。
【発明を実施するための形態】
【００１３】
図面を参照しながら、複数の実施形態を説明する。複数の実施形態において、機能的におよび／または構造的に対応する部分および／または関連付けられる部分には同一の参照符号、または百以上の位が異なる参照符号が付される場合がある。対応する部分および／または関連付けられる部分については、他の実施形態の説明を参照することができる。
【００１４】
以下、発明の複数の実施形態を図面を参照しながら詳細に説明する。
【００１５】
最初に図１を参照する。この開示に係る車両用安全システム１０は、例示的な対象車両２０に搭載されるように図示されている。車両用安全システム１０は、この開示における車両制御システムおよび車両制御方法を提供する。車両の語は、乗り物として広義に解釈されるべきである。車両は乗用車として例示されているが、この開示における車両用安全システム１０（および、図２Ａおよび図２Ｂに図示された方法１１０）は、他の適切な乗り物、例えば、任意の適切な商用車、大量輸送車両、軍用車両、レクリエーショナルビークル、全地形車両、オートバイ、建設機械、個人の輸送装置、船、および航空機などに利用することができる。
【００１６】
この明細書において、以下の定義も含めて、語句「モジュール（ｍｏｄｕｌｅ）」または語句「コントローラ（Ｃｏｎｔｒｏｌｌｅｒ）」は、語句「回路」と置き換え可能である。語句「モジュール」は、コードを実行するプロセッサハードウェア（共有型、専用型、または、組織化型）、および、コードを格納するメモリハードウェア（共有型、専用型、または、組織化型）を参照するか、または、その一部である。コードは、ここに記述されたモジュール、制御装置、およびシステムの特徴を提供するように構成される。語句「メモリハードウェア」はコンピュータ読み取り可能な記録媒体の一態様である。語句「コンピュータ読み取り可能な記録媒体」は、ここに使用されるように、媒体、例えば搬送波を通して伝搬される遷移的な電気信号、または遷移的な電磁信号にまで拡張されることはない。語句「コンピュータ読み取り可能な記録媒体」は、したがって、実体的、かつ非遷移的なものである。非遷移的なコンピュータ読み取り可能な記録媒体の非制限的な例は、不揮発性メモリ装置（例えば、フラッシュメモリ装置、消去可能なプログラム可能な読み取り専用メモリ装置（ＥＰＲＯＭ）、または、マスク型の読み取り専用メモリ装置）、揮発性メモリ装置（例えば、静的ランダムアクセスメモリ装置（ＳＲＡＭ装置）、または動的ランダムアクセスメモリ（ＤＲＡＭ装置））、磁気記憶媒体（例えば、アナログまたはデジタル磁気テープ、またはハードディスクドライブ）、および、光記憶装置（例えば、ＣＤ、ＤＶＤ、および、ブルーレイディスク）である。
【００１７】
車両用安全システム１０は、緊急車両および／またはスクールバスを検出するモジュール３０を含んでいる。モジュール３０は、緊急車両／スクールバス検出モジュールとも呼ばれる。モジュール３０はスクールバスおよび／または緊急車両（例えば救急車、消防車、警察用車両など）の対象車両２０に対する位置を検出するように構成されている。モジュール３０は、緊急車両の緊急表示灯が活性化されているか否か、および、スクールバスの停車表示灯が活性化されているか否か（および、選択可能なオプションとして、展開可能な停車表示サインが活性化されているか否か）を検出するように構成されている。図３Ａは、対象車両２０が、緊急表示灯が活性化されている緊急車両２２を検出した典型的な状況を提示している。図３Ｂでは、車両用安全システム１０は、この開示にそって、対象車両２０を減速し、対象車両２０を路肩に移動させている。
【００１８】
モジュール３０は、任意の適切な方法で、活性化された緊急表示灯を備えた緊急車両および／または活性化された停車表示灯を備えたスクールバスを検出するように構成されている。例えば、車両用安全システム１０は、前方カメラ４２Ａおよび／または後方カメラ４２Ｂのような、対象車両２０に搭載された複数のカメラからデータを受け取るカメラモジュール４０を含むことができる。カメラモジュール４０は、対象車両２０のまわりの環境の、前方カメラ４２Ａおよび／または後方カメラ４２Ｂによって集められた画像データを受け取り、処理して、モジュール３０へ画像データを入力する。モジュール３０は、対象車両２０の近くにあるいかなる緊急車両をも識別するように画像データを分析し、それらの緊急表示灯が活性化されているか否かを決定し、対象車両２０に対する緊急車両の位置および距離を決定する。さらに、モジュール３０は、対象車両２０の近くにあるいかなるスクールバスをも識別し、スクールバスの停車表示灯が活性化されているか否か（および、選択可能なオプションとして、展開可能な停車表示サインが活性化されているか否か）、および、対象車両２０に対するスクールバスの位置および距離を識別するように構成されていてもよい。
【００１９】
さらに、モジュール３０は、カメラモジュール４０から受け取られた画像データに基づいて、対象車両２０が走行している道路の種別を決定するように構成されている。例えば、モジュール３０は、対象車両２０が、複線道路、ハイウェーなどを走行中であるか、道路が中央の分離帯を有するか否か、および道路が路肩を有するか否かを決定することができる。モジュール３０は、対象車両２０が走行中の道路における、特定の車線を決定するようにも構成されている。
【００２０】
モジュール３０は、車車間通信を通して緊急車両および／またはスクールバスによって送信されたデータに基づいて、活性化された緊急表示灯を備えた緊急車両、活性化された停車表示灯を備えたスクールバス、および、各々の予定経路を検出するようにも構成されている。これは、緊急車両およびスクールバスが対象車両２０からの視界の外側にいても、対象車両２０が検出することを有利に可能にする。図４は、対象車両２０が、活性化された緊急表示灯を備えた緊急車両２２の存在を検知することができる典型的な状況と、対象車両２０が緊急車両２２に道路を譲る必要があるか否かを決定するための緊急車両２２の予定される経路を図示している。緊急車両および／またはスクールバスによる位置と経路のデータ放送は、車両用安全システム１０の通信モジュール５０へ入力される。緊急車両および／またはスクールバスによる位置と経路のデータ放送は、通信モジュール５０に接続されている車両アンテナ５２によって対象車両２０に受け取られる。通信モジュール５０は、受信したデータを処理し、データをモジュール３０に送るように構成されている。車車間通信は、いかなる適切な通信基準および通信プロトコルによって提供されていてもよい。
【００２１】
車両用安全システム１０はさらに車両制御モジュール６０を含んでいる。車両制御モジュール６０は、任意の適切な方法で、対象車両２０の速度を落とし、かつ対象車両２０を完全な停車に到達させるように構成される。例えば、車両制御モジュール６０は、対象車両２０のブレーキを作動させるように制御すること、および／または、対象車両２０の変速機をシフトダウンさせるように制御することができ、最終的には、対象車両２０を停車させる。車両制御モジュール６０は、さらに、任意の適切な方法で対象車両２０の操舵を制御するように構成される。例えば、車両制御モジュール６０は、対象車両２０の走行方向を制御するために、タイヤの操舵角度を制御すること、および／または、異なるタイヤのブレーキを選択的に制御することができる。車両制御モジュール６０は、緊急車両に道路を譲るために、対象車両２０が（例えば図３Ｂを参照）走行している道路の路肩へ、または、道路に路肩がない場合、対象車両２０が走行中の特定の車線の横へ出るように、対象車両２０を操舵することができる。
【００２２】
車両制御モジュール６０は、モジュール３０との通信関係にある。活性化された緊急表示灯をもつ緊急車両と対象車両２０とが互いに接近しつつあることをモジュール３０が検出すると、モジュール３０は、緊急車両に道路を譲るように、徐々で、滑らかで、かつ、安全な方法（例えば、０．１Ｇの制動力をかけること）で対象車両２０を減速させるように車両制御モジュール６０に指令を出力する。モジュール３０は、さらに、路肩が利用可能な場合に、道路の路肩へ対象車両２０を操舵するように車両制御モジュール６０に指令を出力する（例えば図３Ｂを参照）。路肩が利用可能でない場合、モジュール３０は任意の適切で安全な方法で、緊急車両が対象車両２０を安全に抜くことができるように、緊急車両の経路から出るように対象車両２０を操舵するように車両制御モジュール６０に指令を出力する。任意の適切で安全な方法は、対象車両２０が走行している特定の車線の横に出ること（例えば、右側に出ること）である。
【００２３】
対象車両２０の前にスクールバスが停車したことをモジュール３０が検出した場合、モジュール３０は、徐々に、滑らかに、かつ、安全に、（例えば、０．１Ｇの制動力を適用することによって）対象車両２０を停車に到達させるように、車両制御モジュール６０に指令を出力する。いくつかのアプリケーション（プログラム）では、モジュール３０は、スクールバスが停車している車線が、対象車両２０がいる車線の走行方向と反対方向の交通のための車線である場合、対象車両２０を止めるように車両制御モジュール６０に指令を出力しないように構成されてもよい。モジュール３０は、緊急車両に道路を譲り、スクールバスのために停車することに関するすべての地域的な法律に対象車両２０が従うように、車両制御モジュール６０を通して対象車両２０を制御するように構成されてもよい。
【００２４】
さらに、車両用安全システム１０は、警報モジュール７０を含むことができる。警報モジュール７０は、活性化された緊急表示灯を備えた緊急車両、および活性化された停車表示灯を備えたスクールバスに関して、対象車両２０の運転者へ警報するために、いかなる適切な装置および／またはシステムを含んでいてもよい。例えば、警報モジュール７０は、対象車両２０に関連のある緊急車両および／またはスクールバスの位置を表示するディスプレイ、または、緊急車両および／またはスクールバスについて、運転者に通知するのに十分な他の適切な視覚的なおよび／または聴覚的な警報機器を含むことができる。警報モジュール７０は、モジュール３０によって、あるいは他の適切な方法で車両制御モジュール６０によって直接に制御することができる。
【００２５】
図２Ａおよび図２Ｂは、この開示に係る車両制御方法を図示している。方法は、活性化された緊急表示灯を備えた緊急車両の検出に応じて、および／または、活性化された停車表示灯を備えたスクールバスの検出に応じて、対象車両２０を減速し、停車させるための方法１１０である。方法１１０は、車両用安全システム１０、または他の適切なシステムで実行することができる。方法１１０は、説明の目的のためだけに、システム１０によって実行されるものとして説明されている。
【００２６】
最初にブロック１１２を参照する。方法１１０は、ブロック１１２からスタートし、ブロック１１４において、対象車両２０、または他の適切な車両が運転される。ブロック１１６において、モジュール３０は、上述した方法によって、対象車両２０の前から、活性化された緊急表示灯を備えた緊急車両が接近しているか否かを決定する。ブロック１１８において、モジュール３０は、対象車両２０に後ろから接近してくるような、活性化された緊急表示灯を備えた緊急車両があるか否かを決定する。ブロック１２０において、モジュール３０は、図４に例示されたように、対象車両２０の経路に接近してくるような、活性化された緊急表示灯を備えた緊急車両があるか否かを決定する。この決定は、活性化された緊急表示灯を備えた緊急車両と対象車両２０とが接近する経路は前方で交差するか否かの判定でもある。
【００２７】
ブロック１１６において、活性化された緊急表示灯を備えた緊急車両が対象車両２０の前から接近していることをモジュール３０が決定する場合、方法１１０はブロック１３０に進む。そこでは、モジュール３０は、対象車両２０が走行している道路の種別を識別する。道路がハイウェーか、中央の分離帯を有する場合、方法１１０はブロック１１４に戻り、ブロック１１４から図２Ａおよび図２Ｂに図示された処理を継続する。ブロック１３０において、対象車両２０が、ハイウェーまたは中央に分離帯を備える道路を走行中ではないとモジュール３０が決定する場合、方法１１０はブロック１３２に進む。
【００２８】
ブロック１３２において、モジュール３０あるいは車両制御モジュール６０は、対象車両２０の運転者に対して、対象車両２０が緊急車両に接近しているという警報を出すために警報モジュール７０を活性化する。ブロック１３２から、方法１１０はブロック１３４に進む。そこでは、モジュール３０は、道路が１車線を超える複数の車線を有する場合、対象車両２０が、どの車線を走行中かを識別する。ブロック１３４において、対象車両２０が最も右端の車線にいることが決定される場合、道路が対象車両２０の右への路肩を含んでいても含んでいなくても、モジュール３０が識別するところにより、方法１１０はブロック１３６に進む。道路が路肩を含んでいる場合、ブロック１３８において、モジュール３０は、路肩へ対象車両２０を導くように車両制御モジュール６０に指令を出力する。ブロック１３４において、対象車両２０が右車線（最も右端の車線）にいないこと、しかし、最も右端の車線よりも左側の車線にいることを決定する場合、方法１１０はブロック１４０に進む。ブロック１４０において、モジュール３０は、対象車両２０が走行中の現在の車線の右側へ対象車両２０を操舵させるように車両制御モジュール６０に指令を出力する。
【００２９】
ブロック１３８およびブロック１４０から、方法１１０はブロック１４２に進む。ブロック１４２においては、モジュール３０は、滑らかに、かつ徐々に対象車両２０を減速するように、車両制御モジュール６０に指令を出力する。ブロック１４２から、方法１１０はブロック１４４に進み、そこでは、モジュール３０は、活性化された緊急表示灯をもつ緊急車両の位置の観測を継続する。もし、緊急車両がまだ対象車両２０を追い越していなければ、モジュール３０は、完全な停止へ向かって対象車両２０の速度を落とすように車両制御モジュール６０に指令を出力し続ける。対象車両２０が完全に止まる前に、緊急車両が対象車両２０を追い越す場合、対象車両２０は必ずしも完全な停止に達しなくてもよい。緊急車両が対象車両２０を追い越した後に、方法１１０はブロック１４４からブロック１４６に進み、そこでは、モジュール３０は、運転者に対象車両２０の運転操作を戻すように車両制御モジュール６０に指令を出力する。ブロック１４６から、方法１１０はブロック１１４に戻る。
【００３０】
ブロック１１６において、モジュール３０が対象車両２０の前から接近する活性化された緊急表示灯を備えた緊急車両を検知しない場合、方法１１０はブロック１１８へ進む。ブロック１１８において、モジュール３０が対象車両２０の後ろから接近する活性化された緊急表示灯を備えた緊急車両を検知する場合、方法はブロック１１８からブロック１３２に進む。方法は、ブロック１３２から、上述した順序と同様に、ブロック１３４、１３６、１３８、１４０、１４２、１４４、および１４６を通ってブロック１１４に進む。
【００３１】
ブロック１１８において、モジュール３０が対象車両２０の後ろから接近する活性化された緊急表示灯を備えた緊急車両を検出しない場合、方法１１０はブロック１２０に進む。ブロック１２０において、モジュール３０が活性化された緊急表示灯を備えた緊急車両が、対象車両２０の予定される走行経路に、例えば、前方の交差点に、接近していることを検出する場合、方法１１０はブロック１２０からブロック１５０に進む。ブロック１５０において、モジュール３０は、緊急車両が接近していることを、対象車両２０の運転者に警報するように警報モジュール７０に指令を出力する。指令は、直接的に与えられてもよく、車両制御モジュール６０を経由して間接的に与えられてもよい。警報は任意の適切な視覚的なおよび／または聴覚的な警報によって与えられる。方法１１０は、上述のように、ブロック１５０からブロック１４２に進む。方法１１０は、ブロック１４２から、ブロック１４４およびブロック１４６に進み、ブロック１１４に戻る。
【００３２】
ブロック１２０において、モジュール３０が対象車両２０の予定される走行経路に接近する活性化された緊急表示灯を備えた緊急車両を検出しない場合、方法１１０はブロック１２２に進む。ブロック１２２において、モジュール３０は、活性化された停車表示灯をもつスクールバスが乗降のために前方で停車しているか否かを検出する。活性化された停車表示灯は、スクールバスが乗降のために停車していることを示している。場合によっては、スクールバスが乗降のために停車していることを示す停車表示サインが利用される。ブロック１２２において、モジュール３０が活性化された停車表示灯を備えた停車するスクールバスを検出しない場合、方法１１０はブロック１４６に進み、最終的にブロック１１４に戻る。
【００３３】
ブロック１２２において、モジュール３０が活性化された停車表示灯を備える停車しているスクールバスを検出する場合、方法１１０はブロック１５２に進む。ブロック１５２において、モジュール３０は、バスは中央の分離帯の向こうの反対車線にいるか否かを決定する。モジュール３０は、スクールバスが、対象車両２０の現在の車線の反対に流れる車線、および対象車両２０の反対の中央の分離帯の横にいるか否かを決定する。ブロック１５２において、モジュール３０がスクールバスは対象車両２０から中央の分離帯の反対側における反対車線にいることを決定する場合、方法１１０はブロック１４６に進み、最終的にブロック１１４に戻る。ブロック１５２において、スクールバスが中央の分離帯の反対側の反対車線にいないことをモジュール３０が決定する場合、方法１１０はブロック１５４に進む。
【００３４】
ブロック１５４において、モジュール３０は、直接的に、または車両制御モジュール６０を経由して間接的に、警報モジュール７０に指令する。モジュール３０は、警報モジュール７０によって、活性化された停車表示灯を備えたスクールバスが前に停車していることを、対象車両２０の運転者に通知するような、運転者に対する適切な警報を出す。ブロック１５４から、方法１１０は、ブロック１４２と同じであるブロック１５６に進む。ブロック１５６から、方法１１０はブロック１５８に進む。ブロック１５８において、モジュール３０が、スクールバスが移動し始めたか否かを検出する。一旦スクールバスが移動し始めたことをモジュール３０が決定すると、方法１１０はブロック１５８からブロック１４６に進み、最終的にブロック１１４に戻る。
【００３５】
この開示は、システムと方法を提供する。システムと方法とは、活性化された緊急表示灯を備えた緊急車両、および活性化された停車表示灯を備えたスクールバスの存在を検出するだけではなく、対象車両を減速する、そして、場合により最終的に完全に停車させる。この開示は、緊急車両に対して道路を譲り、スクールバスのために停車することを要求する法律に、対象車両２０の運転者が従い、対象車両２０の運転者および他の者の安全性を向上することを可能とする。
【００３６】
なお、ブロック１３４などにおける語句「右」は、法律に依存して「左」と読み代えられる場合がある。例えば、右側通行の場合、右車線は、走行車線、低速車線とも呼ばれ、左車線は追越車線、高速車線とも呼ばれる。例えば、左側通行の場合、右車線は追越車線、高速車線とも呼ばれ、左車線は走行車線、低速車線とも呼ばれる。また、語句「路肩」は退避帯と呼ばれてもよい。語句「モジュール」は、「部」または「手段」と置き換え可能である。語句「ブロック」は、「ステップ」または「段階」と置き換え可能である。
【００３７】
優先車両は、法的に定められた権利によって、道路上において、他車（対象車両は、一般車両とも呼ばれる）より優先される車両である。それら優先車両は、自らが優先状態にあることを周囲に示すために、活性化される表示灯または表示サイン（標識）を有する。優先車両のひとつである緊急車両は、例えば救急車、消防車、警察用車両などを含み、例えば赤色回転灯を有する。優先車両のひとつであるスクールバスは、幼稚園および／または保育園の児童、園児のためのバス、小学生、中学生、または高校生のためのバスなどを含み、例えば乗降停車表示灯、または乗降停車表示標識を有する。
【００３８】
この開示は、表示灯または表示サイン（標識）の活性化を識別することによって有利な効果を生み出す。また、この開示は、対象車両を減速させることによって有利な効果を生み出す。また、この開示は、対象車両を停車させるまで減速することによって有利な効果を生み出す。また、この開示は、対象車両の予定経路、および、優先車両の予定経路の交差に応答することによって有利な効果を生み出す。また、この開示は、中央の分離帯によって仕切られた反対車線の優先車両に応答しないことによって有利な効果を生み出す。逆に、反対車線であっても、中央の分離帯によって仕切られていない反対車線の優先車両に応答することによって有利な効果を生み出す。これらの条件は、法律に応じて設定することができる。また、対象車両に適用される法律は、対象車両が走向する地域に応じて自動的に切り換えることができる。
【００３９】
この明細書の開示は、以下に述べる概念を含む。
【００４０】
（１）活性化された表示器をもつ優先車両の位置を検出するように構成された検出モジュールと、検出モジュールによって、活性化された表示器をもつ優先車両が検出され、かつ、検出された優先車両と対象車両とが互いに接近しつつあることに応答して対象車両を減速させる車両制御モジュールとを備える車両制御システム。
【００４１】
（２）対象車両が、検出モジュール、および車両制御モジュールを備える（１）に記載の車両制御システム。（３）さらに、カメラモジュールを備え、カメラモジュールから画像データを受け取るために検出モジュールはカメラモジュールと情報通信可能であり、検出モジュールは画像データに基づいて優先車両を検出するように構成されている（１）または（２）に記載の車両制御システム。（４）さらに、画像データを取得し、カメラモジュールに画像データを入力する複数のカメラを備える（３）に記載の車両制御システム。（５）さらに、優先車両から経路データを取得する情報通信モジュールを備え、検出モジュールは、経路データに基づいて、対象車両に対する優先車両の位置を検出するように構成されている（１）から（４）のいずれかに記載の車両制御システム。（６）車両制御モジュールは、対象車両を減速させるために対象車両のブレーキを活性化するように構成されている（１）から（４）のいずれかに記載の車両制御システム。（７）車両制御モジュールは、対象車両を完全な停車まで減速させるために対象車両のブレーキを活性化するように構成されている（６）に記載の車両制御システム。
【００４２】
（８）車両制御モジュールは、活性化された表示器をもつ優先車両と対象車両とが互いに近づいていることを検出モジュールが検出した場合に、優先車両から遠ざけるように対象車両を移動させるように構成されている（１）から（７）のいずれかに記載の車両制御システム。（９）車両制御モジュールは、優先車両から遠ざけるように対象車両を移動させるために、対象車両のステアリングシステムおよびブレーキシステムの少なくともいずれかを操作するように構成されている（８）に記載の車両制御システム。（１０）車両制御モジュールは、優先車両から遠ざけるように、対象車両が走向中である車線の路肩または横へ対象車両を移動させるために、対象車両のステアリングシステムおよびブレーキシステムの少なくともいずれかを操作するように構成されている（８）または（９）に記載の車両制御システム。（１１）活性化された表示器をもつ優先車両は、活性化された緊急表示灯をもつ緊急車両、活性化された停車表示灯をもつスクールバス、活性化された停車表示サインをもつスクールバス、および、活性化された警報灯をもつ二次車両の少なくともいずれかを含む（１）から（１０）のいずれかに記載の車両制御システム。
【００４３】
（１２）対象車両の検出モジュールによって、活性化された緊急表示灯をもつ緊急車両と、対象車両に対する緊急車両の位置とを検出すること、および、検出モジュールによって、活性化された緊急表示灯をもつ緊急車両と対象車両とが互いに接近しつつあることが検出された場合、車両制御モジュールによって、対象車両にブレーキをかけることを備える車両制御方法。
【００４４】
（１３）さらに、カメラモジュールから検出モジュールに入力されたカメラデータに基づいて緊急車両を検出することを備える（１２）に記載の車両制御方法。（１４）さらに、緊急車両によって送信され、対象車両の通信モジュールから検出モジュールに受信された経路データに基づいて、対象車両に対する緊急車両の位置を検出することを備える（１２）または（１３）に記載の車両制御方法。（１５）さらに、活性化された緊急表示灯をもつ緊急車両と対象車両とが互いに近づいていることを検出モジュールが検出した場合に、対象車両の走向車線の路肩または横へ対象車両を移動させるために、対象車両を操舵することを備える（１２）から（１４）のいずれかに記載の車両制御方法。（１６）さらに、活性化された緊急表示灯をもつ緊急車両と対象車両とが互いに近づいていることを検出モジュールが検出した場合に、対象車両を完全な停車に到達させるためにブレーキをかけることを備える（１２）から（１５）のいずれかに記載の車両制御方法。
【００４５】
（１７）対象車両の検出モジュールによって、活性化された停車表示灯、または、活性化された停車表示サインをもつスクールバスと、対象車両に対するスクールバスの位置とを検出すること、および、検出モジュールによって、活性化された停車表示灯、または、活性化された停車表示サインをもつスクールバスと対象車両とが互いに接近しつつあることが検出された場合、車両制御モジュールによって、対象車両を完全な停車に到達させるためにブレーキをかけることを備える車両制御方法。（１８）さらに、カメラモジュールから検出モジュールに入力されたカメラデータに基づいて、活性化された停車表示サインをもつスクールバスを検出すること、および、停車表示サインの検出に応答して、車両制御モジュールによって、対象車両にブレーキをかけることを備える（１７）に記載の車両制御方法。（１９）さらに、スクールバスによって送信され、対象車両の通信モジュールから検出モジュールに受信された経路データに基づいて、対象車両に対するスクールバスの位置を検出することを備える（１７）または（１８）に記載の車両制御方法。
【００４６】
（２０）対象車両の検出モジュールによって、活性化された警報灯をもつ二次車両と、対象車両に対する二次車両の位置とを検出すること、および、検出モジュールによって、活性化された警報灯をもつ二次車両と対象車両とが互いに接近しつつあることが検出された場合、車両制御モジュールによって、対象車両にブレーキをかけることを備える車両制御方法。
【００４７】
以上に述べた実施形態の説明は、図示と説明のために与えられたものである。そこには、発明を限定する意図や、網羅的にする意図はない。それぞれの個別の構成要素、または特定の実施形態の特徴は、その特定の実施形態に限定されない。しかし、具体的に図示され説明されていない限り、適用可能であれば、それらは互いに入れ替え可能であり、特定の選ばれた実施形態において利用可能である。それらは、多くの手法に変形可能でもある。それらの変形例は発明からの派生物として考慮されるべきではなく、すべてのそれらの変形例は発明の技術的範囲に属するべきものとして意図されている。
【００４８】
例示された実施形態は、この開示が完全になるように、そして、この開示が当業者に技術的範囲を完全に伝えるように提供されている。特定の成分、装置、および方法の例示のような多数の特定の詳細な説明は、この開示の実施形態についての完全な理解を提供するために述べられている。特定の詳細が採用される必要がない場合があること、例示された実施形態が多数の異なる形態によって実施可能であること、そして、何も開示の範囲を限定するように解釈されるべきではないことは当業者には明白である。いくつかの例示された実施形態では、周知の方法、周知の装置構造、および周知の技術は、詳細に記述されない。
【００４９】
ここに使用される用語は、特別の例示された実施形態だけを記述するためのものであり、制限的な意図はない。ここに使用されるように、文脈が明確に反対のことを示さない限り、１つを示す語は複数形をも含むように意図されている。用語「備える」「有する」「含む」「もつ」は、包括的であって、したがって記述された特徴、整数、ステップ、操作、要素、および／または部品の存在を述べており、しかし、ひとつまたは複数の他の特徴、整数、ステップ、操作、要素、部品、および／またはそれらの組み合わせの追加または存在を除外しない。ここに説明された方法の工程、処理、および操作は、実行の順序として特別に指定されない限り、説明され、または図示された特定の順序での実行を要求するものとして解釈されない。さらに、追加的な、または代替的な工程が採用可能であるとも理解されるべきである。
【００５０】
ひとつの要素または層と、他の要素または層とが、「上に」、「連結されて」、「接続されて」、または「組み合わせられて」のように参照される場合、ひとつの要素または層と、他の要素または層とは、「直接に」または「介在要素または介在層が存在して」上に、連結されて、接続されて、または組み合わせられていてもよい。反対に、ひとつの要素または層と、他の要素または層とが、「直接に上に」、「直接に連結され」、「直接に接続され」、または「直接に組み合わせられ」と参照される場合、そこには介在要素または介在層は存在しなくてもよい。複数の要素の間の関係を説明する他の用語（例えば、「の間」と「の間に直接に」、「隣接する」と「直接に隣接する」など）は、同様に解釈されるべきである。ここに使用されるように、用語「および／または」は、関連付けて列挙された要素のすべての１つ、または、複数のすべての組み合わせを含んでいる。
【００５１】
ここでは、様々な要素、部品、領域、層、および／または区分について記述するために、第１、第１、第３などの用語が使用されることがあるが、それらの要素、部品、領域、層、および／または区分はそれらの用語では限定されない。これらの用語はひとつの要素、部品、領域、層、また区分を他の要素、部品、領域、層、また区分から区別するために単純に使用される。文脈によって明示されない限り、「第１」、「第２」および他の数詞は使用された場合に順序または順番を意味しない。したがって、例示された実施形態の教示から外れずに、ここに記述の第１要素、第１部品、第１領域、第１層、および第１区分は、第２要素、第２部品、第２領域、第２層、および第２区分としても記述可能である。
【００５２】
空間的な相対的な用語、例えば、「内部の」、「外部の」、「の下に」「以下に」「より低い」、「上に」、「上部の」などは、図面に図示されたひとつの要素または特徴の他の要素または特徴に対する関係を記述するための記載を簡単にするために用いられている。空間的に相対的な用語は、図の中に描かれた方向に加えて、使用または操作において装置の異なる方向を包含するように意図されている。例えば、図の中の装置がひっくり返される場合、他の要素または特徴の「以下に」または「下に」と記述された要素または特徴は、他の要素または特徴の「上に」と方向付けられる。したがって、例えば、用語「以下に」は「上に」と「以上に」の両方を包含することができる、装置は他の方向付けられてもよく（９０度回転された方向、または他の方向）、また、ここに用いられた空間的な相対的説明用語はそのように適合的に解釈されてもよい。
【００５３】
他の実施形態
この明細書および図面等における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、請求の範囲の記載によって示され、さらに請求の範囲の記載と均等の意味及び範囲内での全ての変更を含むものと解されるべきである。
【００５４】
明細書および図面等における開示は、請求の範囲の記載によって限定されない。明細書および図面等における開示は、請求の範囲に記載された技術的思想を包含し、さらに請求の範囲に記載された技術的思想より多様で広範な技術的思想に及んでいる。よって、請求の範囲の記載に拘束されることなく、明細書および図面等の開示から、多様な技術的思想を抽出することができる。
【符号の説明】
【００５５】
１０  車両用安全システム、
２０  対象車両、  ２２  緊急車両、
３０  緊急車両および／またはスクールバスを検出するモジュール、
４０  カメラモジュール、  ４２Ａ  前方カメラ、  ４２Ｂ  後方カメラ、
５０  通信モジュール、  ５２  車両アンテナ、
６０  車両制御モジュール、
７０  警報モジュール。
【図１】
2020187795.tif 000003
【図２Ａ】
2020187795.tif 000004
【図２Ｂ】
2020187795.tif 000005
【図３Ａ】
2020187795.tif 000006
【図３Ｂ】
2020187795.tif 000007
【図４】
2020187795.tif 000008
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
画像データを取得するカメラモジュール（４０）と、
前記カメラモジュールによって取得された前記画像データに基づいて、活性化された表示器をもつ優先車両の位置を検出し、活性化された表示器をもつ前記優先車両が対象車両の前から接近しているか否か、および、活性化された表示器をもつ前記優先車両が前記対象車両の後ろから接近しているか否かを決定し、活性化された表示器をもつ前記優先車両が前から接近している場合、前記画像データに基づいて前記対象車両が走行している道路の種別を識別するように構成された検出モジュール（３０）と、
前記検出モジュールによって、活性化された表示器をもつ前記優先車両が前から接近していることを決定し、かつ、前記対象車両がハイウェーまたは中央に分離帯を備える道路を走行中ではないと決定する場合、検出された前記優先車両と前記対象車両とが互いに接近しつつあることに応答して前記対象車両を減速させ、または、前記検出モジュールによって、活性化された表示器をもつ前記優先車両が後ろから接近していることを決定した場合、前記優先車両が接近していることを前記対象車両の運転者に警報し、検出された前記優先車両と前記対象車両とが互いに接近しつつあることに応答して前記対象車両を減速させる車両制御モジュール（６０）とを備える車両制御システム。
【請求項２】
前記対象車両が、前記検出モジュール、および前記車両制御モジュールを備える請求項１に記載の車両制御システム。
【請求項３】
さらに、前記画像データを取得し、前記カメラモジュールに前記画像データを入力する複数のカメラを備える請求項１または請求項２に記載の車両制御システム。
【請求項４】
さらに、前記優先車両から経路データを取得する情報通信モジュールを備え、前記検出モジュールは、前記経路データに基づいて、前記対象車両に対する前記優先車両の位置を検出するように構成されている請求項１から請求項３のいずれかに記載の車両制御システム。
【請求項５】
前記車両制御モジュールは、前記対象車両を減速させるために前記対象車両のブレーキを活性化するように構成されている請求項１から請求項３のいずれかに記載の車両制御システム。
【請求項６】
前記車両制御モジュールは、前記対象車両を完全な停車まで減速させるために前記対象車両のブレーキを活性化するように構成されている請求項５に記載の車両制御システム。
【請求項７】
前記車両制御モジュールは、活性化された表示器をもつ前記優先車両と前記対象車両とが互いに近づいていることを前記検出モジュールが検出した場合に、前記優先車両から遠ざけるように前記対象車両を移動させるように構成されている請求項１から請求項６のいずれかに記載の車両制御システム。
【請求項８】
前記車両制御モジュールは、前記優先車両から遠ざけるように前記対象車両を移動させるために、前記対象車両のステアリングシステムおよびブレーキシステムの少なくともいずれかを操作するように構成されている請求項７に記載の車両制御システム。
【請求項９】
前記車両制御モジュールは、前記優先車両から遠ざけるように、前記対象車両が走向中である車線の路肩または横へ前記対象車両を移動させるために、前記対象車両のステアリングシステムおよびブレーキシステムの少なくともいずれかを操作するように構成されている請求項７または請求項８に記載の車両制御システム。
【請求項１０】
活性化された前記表示器をもつ前記優先車両は、活性化された緊急表示灯をもつ緊急車両、活性化された停車表示灯をもつスクールバス、活性化された停車表示サインをもつスクールバス、および、活性化された警報灯をもつ二次車両の少なくともいずれかを含む請求項１から請求項９のいずれかに記載の車両制御システム。
【請求項１１】
対象車両の検出モジュールによって、対象車両のカメラモジュールが取得した画像データに基づいて、活性化された緊急表示灯をもつ緊急車両と、前記対象車両に対する前記緊急車両の位置とを検出し、活性化された緊急表示灯をもつ前記緊急車両が前記対象車両の前から接近しているか否か、および、活性化された緊急表示灯をもつ前記緊急車両が前記対象車両の後ろから接近しているか否かを決定し、活性化された緊急表示灯をもつ前記緊急車両が前から接近している場合、前記画像データに基づいて前記対象車両が走行している道路の種別を識別すること、および、
前記検出モジュールによって、活性化された緊急表示灯をもつ前記緊急車両が前から接近していることを決定し、かつ、前記対象車両がハイウェーまたは中央に分離帯を備える道路を走行中ではないと決定する場合、活性化された緊急表示灯をもつ前記緊急車両と前記対象車両とが互いに接近しつつあることに応答して、車両制御モジュールによって、前記対象車両にブレーキをかけ、または、前記検出モジュールによって、活性化された緊急表示灯をもつ前記緊急車両が後ろから接近していることを決定した場合、前記車両制御モジュールによって、前記緊急車両が接近していることを前記対象車両の運転者に警報し、かつ、活性化された緊急表示灯をもつ前記緊急車両と前記対象車両とが互いに接近しつつあることに応答して、前記車両制御モジュールによって、前記対象車両にブレーキをかけることを備える車両制御方法。
【請求項１２】
さらに、前記緊急車両によって送信され、前記対象車両の通信モジュールから前記検出モジュールに受信された経路データに基づいて、前記対象車両に対する前記緊急車両の位置を検出することを備える請求項１１に記載の車両制御方法。
【請求項１３】
さらに、活性化された緊急表示灯をもつ前記緊急車両と前記対象車両とが互いに近づいていることを前記検出モジュールが検出した場合に、前記対象車両の走向車線の路肩または横へ前記対象車両を移動させるために、前記対象車両を操舵することを備える請求項１１または請求項１２に記載の車両制御方法。
【請求項１４】
さらに、活性化された緊急表示灯をもつ前記緊急車両と前記対象車両とが互いに近づいていることを前記検出モジュールが検出した場合に、前記対象車両を完全な停車に到達させるためにブレーキをかけることを備える請求項１１から請求項１３のいずれかに記載の車両制御方法。
【請求項１５】
さらに、前記検出モジュールによって、活性化された停車表示灯、または、活性化された停車表示サインをもつスクールバスと、対象車両に対する前記スクールバスの位置とを検出し、活性化された停車表示灯、または、活性化された停車表示サインをもつ前記スクールバスが前から接近している場合、前記対象車両が走行している道路の種別を識別すること、および、
前記検出モジュールによって、前記対象車両がハイウェーまたは中央に分離帯を備える道路を走行中ではないと決定され、活性化された停車表示灯、または、活性化された停車表示サインをもつ前記スクールバスと前記対象車両とが互いに接近しつつあることが検出された場合、車両制御モジュールによって、前記対象車両を完全な停車に到達させるためにブレーキをかけることを備える請求項１１から請求項１４のいずれかに記載の車両制御方法。
【請求項１６】
さらに、カメラモジュールから前記検出モジュールに入力されたカメラデータに基づいて、活性化された停車表示サインをもつ前記スクールバスを検出すること、および、前記停車表示サインの検出に応答して、前記車両制御モジュールによって、前記対象車両にブレーキをかけることを備える請求項１５に記載の車両制御方法。
【請求項１７】
さらに、前記スクールバスによって送信され、前記対象車両の通信モジュールから前記検出モジュールに受信された経路データに基づいて、前記対象車両に対する前記スクールバスの位置を検出することを備える請求項１５または請求項１６に記載の車両制御方法。
【請求項１８】
さらに、前記検出モジュールによって、活性化された警報灯をもつ二次車両と、対象車両に対する前記二次車両の位置とを検出し、活性化された警報灯をもつ前記二次車両が前から接近している場合、前記対象車両が走行している道路の種別を識別すること、および、
前記検出モジュールによって、前記対象車両がハイウェーまたは中央に分離帯を備える道路を走行中ではないと決定され、活性化された警報灯をもつ前記二次車両と前記対象車両とが互いに接近しつつあることが検出された場合、車両制御モジュールによって、前記対象車両にブレーキをかけることを備える請求項１１から請求項１７のいずれかに記載の車両制御方法。
【手続補正２】
【補正対象書類名】明細書
【補正対象項目名】０００８
【補正方法】変更
【補正の内容】
【０００８】
この開示は、画像データを取得するカメラモジュール（４０）と、カメラモジュールによって取得された画像データに基づいて、活性化された表示器をもつ優先車両の位置を検出し、活性化された表示器をもつ優先車両が対象車両の前から接近しているか否か、および、活性化された表示器をもつ優先車両が対象車両の後ろから接近しているか否かを決定し、活性化された表示器をもつ優先車両が前から接近している場合、画像データに基づいて対象車両が走行している道路の種別を識別するように構成された検出モジュール（３０）と、検出モジュールによって、活性化された表示器をもつ優先車両が前から接近していることを決定し、かつ、対象車両がハイウェーまたは中央に分離帯を備える道路を走行中ではないと決定する場合、検出された優先車両と対象車両とが互いに接近しつつあることに応答して対象車両を減速させ、または、検出モジュールによって、活性化された表示器をもつ優先車両が後ろから接近していることを決定した場合、優先車両が接近していることを対象車両の運転者に警報し、検出された優先車両と対象車両とが互いに接近しつつあることに応答して対象車両を減速させる車両制御モジュール（６０）とを備える車両制御システムを提供する。
この開示は、対象車両の検出モジュールによって、対象車両のカメラモジュールが取得した画像データに基づいて、活性化された緊急表示灯をもつ緊急車両と、対象車両に対する緊急車両の位置とを検出し、活性化された緊急表示灯をもつ緊急車両が対象車両の前から接近しているか否か、および、活性化された緊急表示灯をもつ緊急車両が対象車両の後ろから接近しているか否かを決定し、活性化された緊急表示灯をもつ緊急車両が前から接近している場合、画像データに基づいて対象車両が走行している道路の種別を識別すること、および、検出モジュールによって、活性化された緊急表示灯をもつ緊急車両が前から接近していることを決定し、かつ、対象車両がハイウェーまたは中央に分離帯を備える道路を走行中ではないと決定する場合、活性化された緊急表示灯をもつ緊急車両と対象車両とが互いに接近しつつあることに応答して、車両制御モジュールによって、対象車両にブレーキをかけ、または、検出モジュールによって、活性化された緊急表示灯をもつ緊急車両が後ろから接近していることを決定した場合、車両制御モジュールによって、緊急車両が接近していることを対象車両の運転者に警報し、かつ、活性化された緊急表示灯をもつ緊急車両と対象車両とが互いに接近しつつあることに応答して、車両制御モジュールによって、対象車両にブレーキをかけることを備える車両制御方法を提供する。
この開示は、活性化された表示灯をもつ優先車両の検知に応答して、一般車両の利用者が適切な処置をとることを支援する車両制御システムおよび車両制御方法を提供する。望ましい処置は、優先車両に道路の利用を譲ること、例えば、対象車両の速度を遅くすることで追い越しを容易にすることによって提供できる。また、望ましい処置は、優先車両を避けること、例えば、優先車両から遠ざかることによって提供できる。また、望ましい処置は、優先車両の利用者を安心させること、例えば、対象車両の速度を遅くすることによって提供できる。